【手続補正書】
【提出日】平成26年6月16日(2014.6.16)
【手続補正１】
【補正対象書類名】特許請求の範囲
【補正対象項目名】全文
【補正方法】変更
【補正の内容】
【特許請求の範囲】
【請求項１】
表示された物体の制御のためにユーザー行為を追跡するソフトウェアを実行するコンピューター実装システムにおいて、前記システムのユーザー行為を追跡する能力についてユーザーにフィードバックを供給する方法であって、
キャプチャー・システムによって、キャプチャー・エリアにおいてユーザーを検出するステップであって、前記ユーザーが、前記システム上のアプリケーションと相互作用し、前記アプリケーションが、前記システム上の少なくとも２つのアプリケーションのうちの１つであり、前記少なくとも２つのアプリケーションの各々が、異なったアプリケーション・コンテキストを有し、前記アプリケーションが、少なくとも１つの身体特徴のユーザー動きに応答する、ステップと、
前記キャプチャー・システムによって生成されたデーターに基づいて、前記ユーザーの少なくとも１つの身体特徴を追跡するステップと、
前記ユーザーが相互作用する前記アプリケーションの前記アプリケーション・コンテキストを決定するステップであって、前記コンテキストが前記アプリケーションの目的である活動を含む、ステップと、
ユーザー追跡規準が満たされていないことに応答して、フィードバック応答を決定するステップであって、前記フィードバック応答が、前記アプリケーション・コンテキストにおいてレンダリングされ、前記アプリケーション・コンテキストにおいて前記フィードバック応答を生成して、前記キャプチャー・エリアの中心に向かう前記少なくとも１つの身体特徴のユーザー動きを誘起する、ステップと、
前記フィードバック応答を前記ユーザーに出力するステップと、
を含む、方法。
【請求項２】
請求項１記載の方法であって、前記フィードバック応答が、ディスプレイ上の物体の少なくとも１つの動作を変化させる、方法。
【請求項３】
請求項２記載の方法であって、更に、
前記キャプチャー・システムが画像キャプチャー・システムであり、
前記満たされていないユーザー追跡規準が、前記表示された物体を制御することができる前記ユーザーの身体部分が、前記画像キャプチャー・システムの視野の外側に少なくとも部分的に出ていることであり、
前記ディスプレイ上における前記物体の少なくとも１つの動作が、視野の中心に向かう前記身体部分のユーザー動きを誘起する、
方法。
【請求項４】
請求項１記載の方法において、前記フィードバック応答が、前記ユーザーの年齢を含む前記ユーザーのプロファイルに基づいて決定され、前記フィードバック応答が年齢に適した応答となるようにする、方法。
【請求項５】
請求項１記載の方法において、前記表示される物体がアバターであり、前記ユーザーにフィードバック応答を出力するステップが、前記ユーザーを現すアバターの表示されている外観を変化させるステップを含む、方法。
【請求項６】
請求項１記載の方法において、前記ユーザーにフィードバック応答を出力するステップが、ユーザー追跡規準が満たされていないことを示す視覚インディケーターを前記ユーザーに表示するステップを含む、方法。
【請求項７】
請求項１記載の方法において、前記ユーザーにフィードバック応答を出力するステップが、ユーザー追跡規準が満たされていないことを示す音声インディケーターを前記ユーザーに出力するステップを含む、方法。
【請求項８】
請求項１記載の方法において、前記ユーザーにフィードバック応答を出力するステップが、更に、前記ユーザーの表示されているビューの視覚的特性を変化させるステップを含む、方法。
【請求項９】
請求項８記載の方法において、フィードバック応答を前記ユーザーに出力するステップが、更に、前記ユーザーの前記身体がキャプチャー・デバイスの視野の中心に向かって動くにつれ、前記表示されたビューの視覚的特徴をぼかしたビューから鮮明なビューへレンダリングすることを含む、方法。
【請求項１０】
請求項１記載の方法であって、更に、前記ユーザー追跡規準が、
前記キャプチャー・システムの視野内における、前記表示された物体を制御することができる前記ユーザーの身体部分の位置、
照明、
コントラスト、および
前記ユーザーの身体部分の障害、
から成る一群の可視性要因に基づく、方法。
【請求項１１】
請求項１記載の方法であって、更に、ユーザー追跡規準が、
音量、および
音声の区別可能性、
の内の１つから成る音声要因である、区別可能性要因に基づく、方法。
【請求項１２】
システムのユーザー行為を追跡する能力についてユーザーにフィードバックを供給するシステムであって、
キャプチャー・エリア内のユーザーの画像データーを取り込む画像キャプチャー・システムと、
前記画像キャプチャー・システムに通信可能に結合され、前記画像データーおよび命令を格納するメモリーにアクセス可能な１つ以上のプロセッサーと、
前記ユーザーへのフィードバックを表示するために前記１つ以上のプロセッサーに通信可能に結合されたディスプレイと、
を含み、前記１つ以上のプロセッサーが、
複数のアプリケーションのうちの少なくとも１つのアプリケーションを実行する命令であって、各アプリケーションが、異なったアプリケーション・コンテキストを有し、前記アプリケーション・コンテキストが、前記アプリケーションの目的である活動を含む、命令と、
前記画像データーにおいてユーザーの少なくとも１つの身体部分を検出する命令と、
前記少なくとも1つの身体部分の動きを追跡する命令であって、前記ユーザーが、前記システム上の前記複数のアプリケーションの内の前記少なくとも１つのアプリケーションと相互作用し、前記アプリケーションが、少なくとも１つの身体特徴のユーザー動きに応答する、命令と、
ユーザー追跡規準が満たされていないことに応答して、ユーザーに表示するためユーザーが相互作用する前記少なくとも１つの実行しているアプリケーションの内の前記アプリケーション・コンテキストにおける追跡フィードバックを決定し、前記追跡フィードバックが前記ユーザーのユーザー・プロファイルに基づき、前記プロファイルが、特性に対し適当な代替案の間で前記フィードバック応答を変化させるユーザーの特性を含み、前記プロファイル及び前記アプリケーション・コンテキストにおける特性に基づいて前記フィードバック応答を生成し、前記アプリケーション・コンテキストが、前記キャプチャー・エリア内の前記少なくとも１つの身体特徴のユーザー動きを誘起するように設計された、命令と、
前記フィードバックを表示する命令と、
を含む命令を実行する、１つ以上のプロセッサーと、
を含む、システム。
【請求項１３】
請求項１２記載のシステムにおいて、命令を実行する前記１つ以上のプロセッサーが、更に、
前記少なくとも１つの身体部分の少なくとも１つの動きを行う命令を表示し、
前記少なくとも１つの身体部分の動きを追跡し、
前記１つ以上の可視性要因に基づいて、ユーザー追跡規準が満たされていることに応答して、試験用キャプチャー・エリアに対して、可視性要因に基づく追跡品質スコアを決定し、
前記１つ以上の可視性要因に基づいて、ユーザー追跡規準が満たされていないことに応答して、
前記ユーザー追跡規準を満たすために、前記画像データーに対する１つ以上の可視性要因をどのようにして改良できるか判断し、
可視性要因を改良するために、前記キャプチャー・エリアにおける少なくとも１つの変化を特定するフィードバックを前記ユーザーに表示する、
ことによってキャプチャー・エリアを選択するときにユーザーを補助する命令を実行することを含む、システム。
【請求項１４】
請求項１３記載のシステムにおいて、命令を実行する前記１つ以上のプロセッサーが、
可視性要因の追跡規準に基づいて、複数の試験用キャプチャー・エリアの各々について、追跡品質スコアを決定し、
最良のスコアを有する前記試験用キャプチャー・エリアを特定し、
前記最良のスコアを有する試験用キャプチャー・エリアの推薦を表示する、
ことを含む命令を実行することを含む、システム。
【請求項１５】
請求項１３記載のシステムにおいて、前記１つ以上の可視性要因が、
キャプチャー・システムの視野内における、前記ユーザーの少なくとも１つの身体部分の位置、
照明、
コントラスト、および
前記ユーザーの少なくとも１つの身体部分の障害、
の内１つ以上を含む、システム。
【請求項１６】
請求項１２記載のシステムにおいて、前記ディスプレイが、画面外のディスプレイ・デバイスである、システム。